(57)【要約】【課題】難なく携帯可能な程度に小型で、かつ局部の洗浄に十分な推力を洗浄液に与えることができる携帯用局部洗浄装置を提供する。【解決手段】本実施の形態の携帯用局部洗浄装置１では、ピストン部材７の弁押圧部１７で弁３０を下方に押圧することにより、連通孔１６を介して高圧の空気を外部へ放出することができる。通常状態では、弁押圧部１７と弁３０とが対向した状態ではなく、ピストン部材７をスライドさせることによって発生した高圧の空気が、自身で弁３０を下方に押圧しつつタンク２０内へ流入し、洗浄液Ｌの液面を下方に押圧する。従って、第３のホース２７の局部側端部に設けられたノズル７０から局部に向かって、局部を洗浄するのに十分な勢いを持った洗浄液が噴射されることになる。タンク２０内には、本体部５及び分割したホース２８を収納することができ、携帯用局部洗浄装置１全体として小型化できる。【選択図】　図１
2004024357.tif 000002
【特許請求の範囲】
【請求項１】
携帯可能で、人体局部を洗浄する携帯用局部洗浄装置であって、
前記局部を洗浄するための洗浄液を貯留するタンクと、
前記タンクに貯留された洗浄液を前記タンクから前記人体局部に導くための筒状のホースと、
前記タンクが装着され、前記洗浄液に前記人体局部への噴射力を付与する本体部と
を備え、
当該本体部は、
長尺形状を有し、
一端に設けられた前記タンクが装着される装着部と、
前記一端とは反対側に位置する他端から前記一端側に向かって形成された円筒形状のシリンダー部と、
当該シリンダー部内で、前記長尺方向に往復可能なピストン部材と、
前記シリンダー部と前記装着部との間に両部材を隔てるように設けられた隔壁と、
当該隔壁に設けられた連通孔と、
当該連通孔に設けられ、前記装着部側から前記シリンダー部側への空気の流れを規制する弁と
を備えたことを特徴とする携帯用局部洗浄装置。
【請求項２】
前記ピストン部材は、
前記隔壁側端部に固設された第１のフランジと、
当該第１のフランジから前記隔壁側とは反対方向に所定距離だけ離れた位置に固設された第２のフランジと、
前記第１のフランジと第２のフランジとの間で、前記ピストン部材の外周面と前記シリンダー部の内側面とに密接した状態で前記本体部の長尺方向に摺動可能なリングと
を備え、
前記第１及び第２のフランジ間における前記ピストン部材の外周面には、前記第１のフランジから前記第２のフランジ近傍まで所定深さで切り欠かれた切り欠き部が形成されていることを特徴とする請求項１に記載の携帯用局部洗浄装置。
【請求項３】
前記シリンダー部の前記隔壁側端部において、その周方向略半分の範囲には、前記シリンダー部の内側面から前記シリンダー部の軸心方向へ向かって所定の突出量をもって凸部が突設されており、
前記ピストン部材の前記隔壁側端部において、その周方向略半分の範囲には、前記ピストン部材の外周面から前記ピストン部材の軸心方向へ向かって、前記所定の突出量と略同一の切り欠き量をもって切り欠き部が形成されていることを特徴とする請求項１又は２に記載の携帯用局部洗浄装置。
【請求項４】
前記本体部には前記弁を閉じる方向に付勢する付勢部材が設けられ、
前記シリンダー部の前記隔壁側端部において、前記凸部に対向する位置の内側面には、前記シリンダー部の前記隔壁側端部から前記付勢部材の付勢方向に向かって、所定の窪み量と所定の長さとをもった窪み部が形成されていることを特徴とする請求項１乃至３の何れかに記載の携帯用局部洗浄装置。
【請求項５】
前記ホースは、前記洗浄液の流れを規制するストッパーを備えていることを特徴とする請求項１乃至４の何れかに記載の携帯用局部洗浄装置。
【請求項６】
前記タンクは、前記本体部と前記ホースとを格納可能であることを特徴とする請求項１乃至５の何れかに記載の携帯用局部洗浄装置。
【発明の詳細な説明】
【０００１】
【発明の属する技術分野】
本発明は、携帯用局部洗浄装置に関し、詳細には、人体局部を洗浄する携帯に便利な携帯用局部洗浄装置に関するものである。
【０００２】
【従来の技術】
従来、外出先等で尻等の人体局部を洗浄できるように、携帯可能な局部洗浄装置が提案されている。一般的に、携帯可能な局部洗浄装置は、少なくとも、局部を洗浄するための水等の洗浄液を貯留するタンクと、前記局部に向かって洗浄液を噴射するノズルを備え、タンクに連結されたホースと、ノズルから噴射させるための十分な推力を洗浄液に与えるための推力発生部とをその構成要素として備えている。さらに、外出先等では、持ち運びに便利でかつ煩わしくならないように、より小型形状の携帯用局部洗浄装置が提案されている。
【０００３】
【発明が解決しようとする課題】
しかしながら、上記従来の方法では、携帯するためという目的上、装置をそれほど大きくすることができないため、洗浄液の発射に十分な推力は与えられても、洗浄に好適な、洗浄を行うのに十分な推力を与えるのが難しいという問題点があった。また、装置を小型化するのに伴って、局部を洗浄するための十分な量の洗浄液を装置内に貯留できないという問題点があった。加えて、洗浄液の貯留量を増やそうとすると、装置全体が大型化してしまい、携帯に適さないという問題点があった。
【０００４】
本発明は、上述の問題を解決するためになされたものであり、難なく携帯可能な程度に小型で、かつ局部の洗浄に十分な推力を洗浄液に与えることができる携帯用局部洗浄装置を提供することを目的とする。
【０００５】
【課題を解決するための手段】
上記目的を達成するために、請求項１に記載の携帯用局部洗浄装置は、携帯可能で、人体局部を洗浄する携帯用局部洗浄装置であって、前記局部を洗浄するための洗浄液を貯留するタンクと、前記タンクに貯留された洗浄液を前記タンクから前記人体局部に導くための筒状のホースと、前記タンクが装着され、前記洗浄液に前記人体局部への噴射力を付与する本体部とを備え、当該本体部は、長尺形状を有し、一端に設けられた前記タンクが装着される装着部と、前記一端とは反対側に位置する他端から前記一端側に向かって形成された円筒形状のシリンダー部と、当該シリンダー部内で、前記長尺方向に往復可能なピストン部材と、前記シリンダー部と前記装着部との間に両部材を隔てるように設けられた隔壁と、当該隔壁に設けられた連通孔と、当該連通孔に設けられ、前記装着部側から前記シリンダー部側への空気の流れを規制する弁とを備えている。
【０００６】
この構成の携帯用局部洗浄装置では、本体部において、装着部が設けられた一端とは反対側に位置する他端から前記一端側に向かって形成されたシリンダー部内でピストン部材を繰り返し往復させることによって、シリンダー部内に高圧の空気が貯められ、その圧力がシリンダー部と装着部との間に設けられた連通孔を通ってタンク内に貯留された洗浄液の液面にかかることになる。このとき、弁の働きにより前記装着部側から前記シリンダー部側への空気の流れが防止される。そして、その端面に高い圧力を受けた洗浄液は、圧力がかかった側とは反対側の端部即ちホースが連結された側に向かって押圧されるので、ホースの局部側端部から局部に向かって局部を洗浄するのに十分な勢いを持った洗浄液が噴射されて局部が洗浄されることになる。
【０００７】
また、請求項２に記載の携帯用局部洗浄装置では、請求項１に記載の携帯用局部洗浄装置の構成に加え、前記ピストン部材は、前記隔壁側端部に固設された第１のフランジと、当該第１のフランジから前記隔壁側とは反対方向に所定距離だけ離れた位置に固設された第２のフランジと、前記第１のフランジと第２のフランジとの間で、前記ピストン部材の外周面と前記シリンダー部の内側面とに密接した状態で前記本体部の長尺方向に摺動可能なリングとを備え、前記第１及び第２のフランジ間における前記ピストン部材の外周面には、前記第１のフランジから前記第２のフランジ近傍まで所定深さで切り欠かれた切り欠き部が形成されていることを特徴とする。
【０００８】
この構成の携帯用局部洗浄装置では、請求項１に記載の発明の作用に加え、ピストン部材は、弁側端部に固設された第１のフランジと、第１のフランジから弁側とは反対方向に所定距離だけ離れた位置に固設された第２のフランジと、第１のフランジと第２のフランジとの間で、ピストン部材の外周面とシリンダー部とに密接した状態で本体部の長尺方向に摺動可能なリングとを備え、第１及び第２のフランジ間におけるピストン部材の外周面には、第１のフランジから第２のフランジ近傍まで所定深さで切り欠かれた切り欠き部が形成されている。従って、ピストン部材を弁方向にスライドさせると、慣性によってリングが弁とは反対方向に摺動し、ピストン部材を弁とは反対方向にスライドさせると、慣性によってリングが弁方向に摺動することになり、ピストン部材を弁とは反対方向にスライドさせることによって現出する切り欠き部を通過して空気がシリンダー部に入りこむことができ、ピストン部材を弁方向にスライドさせることによって、第２のフランジ近傍まで延びた切り欠き部が塞がれることになる。即ち、シリンダー部とピストン部材とでポンプが形成され、このポンプによって高圧の空気が効率よくタンク内に流入することになる。
【０００９】
また、請求項３に記載の携帯用局部洗浄装置では、請求項１又は２に記載の携帯用局部洗浄装置の構成に加え、前記シリンダー部の前記隔壁側端部において、その周方向略半分の範囲には、前記シリンダー部の内側面から前記シリンダー部の軸心方向へ向かって所定の突出量をもって凸部が突設されており、前記ピストン部材の前記隔壁側端部において、その周方向略半分の範囲には、前記ピストン部材の外周面から前記ピストン部材の軸心方向へ向かって、前記所定の突出量と略同一の切り欠き量をもって切り欠き部が形成されていることを特徴とする。
【００１０】
この構成の携帯用局部洗浄装置では、請求項１又は２に記載の発明の作用に加え、シリンダー部の前記隔壁側端部において、その周方向略半分の範囲には、シリンダー部の内側面からシリンダー部の軸心方向へ向かって所定の突出量をもって凸部が突設されており、ピストン部材の隔壁側端部において、その周方向略半分の範囲には、ピストン部材の外周面からピストン部材の軸心方向へ向かって、凸部の突出量と略同一の切り欠き量をもって切り欠き部が形成されている。シリンダー部内に空気を送り込むためにピストン部材を繰り返しスライドさせる際は、ピストン部材の切り欠き部とシリンダー部内の凸部とが対向していない状態として、付勢部材によって閉じる方向に付勢された弁が、空気の圧力によって下方に移動することにより、空気の流れをシリンダー部側からタンク側への一方通行とすることができる。
【００１１】
また、請求項４に記載の携帯用局部洗浄装置では、請求項１乃至３の何れかに記載の携帯用局部洗浄装置の構成に加え、前記本体部には前記弁を閉じる方向に付勢する付勢部材が設けられ、前記シリンダー部の前記隔壁側端部において、前記凸部に対向する位置の内側面には、前記シリンダー部の前記隔壁側端部から前記付勢部材の付勢方向に向かって、所定の窪み量と所定の長さとをもった窪み部が形成されていることを特徴とする。
【００１２】
この構成の携帯用局部洗浄装置では、請求項１乃至３の何れかに記載の発明の作用に加え、シリンダー部の前記隔壁側端部において、凸部に対向する位置の内側面には、シリンダー部の隔壁側端部から付勢部材の付勢方向に向かって、所定の窪み量と所定の長さとをもった窪み部が形成されている。タンク内に貯留された洗浄液の液面にかかった圧力を解放したいときには、ピストン部材を回転させて、その切り欠き部がシリンダー部内の凸部と対向した状態とし、ピストン部材をスライドさせて弁に当接させて弁を下方に押圧すれば、空気はタンク側からシリンダー部側へ流れることができ、窪み部とピストン部材の外周面に形成された切り欠き部とを介して洗浄液の液面にかかった圧力をシリンダー部を通して外部へ放出することができる。
【００１３】
また、請求項５に記載の携帯用局部洗浄装置は、請求項１乃至４の何れかに記載の携帯用局部洗浄装置の構成に加え、前記ホースは、前記洗浄液の流れを規制するストッパーを備えていることを特徴とする。
【００１４】
この構成の携帯用局部洗浄装置は、請求項１乃至４の何れかに記載の発明の作用に加え、ホースは、洗浄液の流れを規制するストッパーを備えているので、使用者は、洗浄を行うときにのみ洗浄水を噴射させることができ、装置の効率のよい稼動を実現できる。
【００１５】
また、請求項６に記載の携帯用局部洗浄装置は、請求項１乃至５の何れかに記載の携帯用局部洗浄装置の構成に加え、前記タンクは、前記本体部と前記ホースとを格納可能であることを特徴とする。
【００１６】
この構成の携帯用局部洗浄装置は、請求項１乃至５の何れかに記載の発明の作用に加え、タンクは、本体部とホースとを格納可能であるので、使用者は、装置をコンパクトな状態として持ち運ぶことができる。
【００１７】
【発明の実施の形態】
以下、本発明の実施形態について、図面に基づいて説明する。ここで、図１は、携帯用局部洗浄装置１の全体構成を示す縦断面図であり、図２は、本体部５を示す縦断面図である。本実施の携帯の携帯用局部洗浄装置１は、携帯可能で、かつ尻等の人体局部を洗浄するためのものである。図１に示すように、携帯用局部洗浄装置１は、図の上下方向に長尺の筒状となった本体部５と、本体部５の下端部に設けられた装着部１０を介して本体部５に着脱可能に装着されるタンク２０と、タンク２０から延出したビニール等の合成樹脂製の可撓性を有するホース２８とから構成されている。
【００１８】
本体部５は、半透明の合成樹脂材料で一体成形された略円柱形部材であり、その図中上側縁から下方に向かって所定長さの範囲で略円筒状に形成されたシリンダー部６と、当該シリンダー部６と対向して図中下側縁から上方に向かって所定長さの範囲で略円筒状に形成された装着部１０とを備えている。シリンダー部６は図中上側、装着部１０は図中下側にそれぞれ開口しており、シリンダー部６と装着部１０との間には、所定厚を有した平面視略円形の隔壁１３が介在した状態となっている。尚、装着部１０には、後述するタンク２０が装着されるため、装着部１０の内周面１０ａは所定のピッチを持った雌ねじ形状となっている。尚、装着部１０の内周面１０ａに形成された雌ねじのピッチは、一般的なペットボトルの開口筒外側面に形成された雄ねじのピッチと略同一となっており、タンク２０をペットボトルで代用することもできるようになっている。
【００１９】
また、シリンダー部６には、シリンダー部６の径よりも僅かに小さい径を有する略円柱形のピストン部材７がシリンダー部６に対して本体部５の長尺方向に往復可能に設けられている。ピストン部材７のシリンダー部６の開口側（図の上側）端部には、所定厚を有し、ピストン部材７より径が大きい平面視略円形の把持部３７が固設されている。即ち、シリンダー部６とピストン部材７とでポンプが形成されており、携帯用局部洗浄装置１の使用者が、把持部３７をつかんでピストン部材７を下方向にスライドさせることによって、シリンダー部６内に高圧の空気を送り込むことができるようになっている。シリンダー部６とピストン部材７とによって構成されたポンプの構造については後述する。
【００２０】
シリンダー部６の下側に位置する隔壁１３において、その本体部５の軸心８０から図中左方向へ所定距離だけずれた位置には、前記軸心８０と略平行となった連通孔１６が穿設されている。この連通孔１６によって、シリンダー部６と装着部１０とが連通した状態となっている。図４に拡大して示すように、連通孔１６には、略円柱状の棒部３０ａと当該棒部３０ａの長さ方向両端部に一対となって固設された略円盤状のフランジ部３０ｂ，３０ｂとから構成された弁３０が設けられている。詳細には、弁３０は、隔壁１３の板厚よりも所定長さだけ長く形成されており、上下両側のフランジ３０ｂ，３０ｂで隔壁１３が挟まれた状態で、棒部３０ａが連通孔１６内で上下方向にスライド可能となっている。尚、連通孔１６の上部は、上側のフランジ３０ｂより大きい径の円筒状の孔である円筒孔６ｃに形成され、弁押圧部１７の下側面１７ａで上側のフランジ３０ｂが押下されると上側のフランジ３０ｂが円筒孔６ｃに収納されるようになっている。
【００２１】
また、上側のフランジ３０ｂと隔壁１３の上面即ちシリンダー部６の底部６ｂに形成された円筒孔６ｃの底面との間には、コイル状のバネ３５が棒部３０ａを周方向で覆うように設けられており、バネ３５によって弁３０が常に上方に付勢されている。弁３０が上側のシリンダー部６方向に常に付勢されることによって、通常状態では、連通孔１６の装着部１０側開口部が下側のフランジ３０ｂによって塞がれた状態となっており、ポンプ状のシリンダー部６とピストン部材７との間で発生し、連通孔１６を介してタンク２０側に送られた高圧の空気がシリンダー部６側に戻らないようになっている。
【００２２】
さらに、ピストン部材７の下端部には、その周方向略半分の範囲で、ピストン部材７の外側面７ａから軸心８０方向に向かって所定量だけ切り欠かれた切り欠き部４０が形成されている。その切り欠き部４０によって、ピストン部材７の下端部に弁３０を下方へ押圧する弁押圧部１７が形成されている。また、ピストン部材７の下端部に形成された切り欠き部４０に対応して、シリンダー部６の底部６ｂには、シリンダー部６の周方向略半分の範囲で、シリンダー部６内側面６ａから軸心８０方向に向かって所定量だけ突出した凸部５６が設けられている。凸部５６は、その周方向断面が略長方形となっており、切り欠き部４０と対向した状態で切り欠き部４０に嵌合するようになっている。その嵌合した状態から、上方にピストン部材７を凸部５６と切り欠き部４０とが対向しない位置まで引き上げて、ピストン部材７を１８０°回転させると、凸部５６と切り欠き部４０とは対向せず、ピストン部材７を押し下げても弁押圧部１７の下側面１７ａが凸部５６の上側面５６ａに当接して、弁押圧部１７と弁３０とが当接し得ない状態となる。ピストン部材７の下端部に形成された弁押圧部１７が、弁３０に当接しているか否かは、図３に示すように、ピストン部材７の上端部に固設された把持部３７の上面に設けられた「出」もしくは「止」の目印によって判断できるようになっている。この目印については後述する。
【００２３】
また、図４及び図５に示すように、シリンダー部６の底部６ｂにおいて、凸部５６に対向した位置、即ち凸部５６が設けられていない周方向略半分の範囲の中には、底部６ｂから上方に向かって所定の窪み量をもった窪み部５５が所定長さだけ延びている。詳細には、窪み部５５は、凸部５６と切り欠き部４０とが対向して嵌合した状態で、ピストン部材７に設けられたゴムリング１９がその中に含まれ、かつ、凸部５６と切り欠き部４０とが対向していない状態で、ピストン部材７に設けられたゴムリング１９がその中に含まれない程度の長さをもっている。後述するが、これは即ち凸部５６と切り欠き部４０とが対向して嵌合した状態では、シリンダー部６とピストン部材７との間に貯められた空気が窪み部５５を通過して外部へ放出されるようになっている。
【００２４】
弁押圧部１７は、その下側面１７ａが、連通孔１６に設けられた弁３０の上側のフランジ部３０ｂに当接して、弁３０を下方へ押圧するものであって、ポンプ状のシリンダー部６とピストン部材７との間に貯められて、連通孔１６を介してタンク２０側に送られた空気をシリンダー部６側に意図的に戻す際に使用される。後に詳述するが、使用者が携帯用局部洗浄装置１を使用する際には、シリンダー部６内でピストン部材７を往復スライドさせることによって、シリンダー部６を介してタンク２０内へ高圧の空気が送り込まれ、その圧力によってタンク内の洗浄液がホース２８を通って噴射されることになる。
【００２５】
シリンダー部６内の凸部５６とピストン部材７下端部の切り欠き部４０とが対向していない状態で、ピストン部材７がスライドして下方に移動すると、シリンダー部６内に貯められた空気の圧力のみによって、弁３０がバネ３５の付勢力に反して下方に移動することになるので、空気が装着部１０側からシリンダー部６側に戻ることがない。装着部１０を介してタンク２０内に送られた高圧の空気を外部へ開放しようとする際には、ピストン部材７を半回転だけ回転させて、その下端部の切り欠き部４０とシリンダー部６内の凸部５６とが対向した状態とし、弁押圧部１７と弁３０とを当接させて、ピストン部材７をスライドさせて下方に移動させれば、弁３０は、上方からの空気圧がかかっていない状態で、弁押圧部１７によって下方に移動させられる。それによって、連通孔１６を介してタンク２０側に送られた空気をシリンダー部６側に戻すことができるので、シリンダー部６を通過させて空気を外部へ放出できる。
【００２６】
次に、図４および図５を参照して、シリンダー部６とピストン部材７とによって形成されるポンプの構造について説明する。図４および図５に示すように、ピストン部材７の円柱形状の下端部には、略円盤状のフランジ９ａと９ｂとが、互いに所定の間隔を空けて、またシリンダー部６の内面６ａと僅かな隙を空けて略平行に固設されている。フランジ９ａ，９ｂ間には、シリンダー部６の内面６ａと密接した状態で円環状のゴムリング１９が設けられている。ゴムリング１９は、フランジ９ａ，９ｂ間で、両フランジ９ａ，９ｂに対して相対的に上下方向に移動可能となっており、ピストン部材７をスライドさせて上方に移動させれば下方に、ピストン部材７を下方に移動させれば上方にそれぞれ移動することになる。
【００２７】
また、ピストン部材７の外側面７ａには、所定の深さと長さとをもって切り欠かれた略直方体状の切り欠き部４７が形成されている。切り欠き部４７は、下側のフランジ９ｂから、上側のフランジ９ａ方向に向かって所定長さ形成されており、下側のフランジ９ｂが、その周方向の一部を切り欠き部４７によって切り欠かれた状態となっている。切り欠き部４７は、そこから上方に向かって、上側のフランジ９ａから下方へゴムリング１９の板厚分より厚い距離だけ離れた位置まで延びている。ピストン部材７をスライドさせて上方に移動させると、ゴムリング１９が下方に移動して、下側のフランジ９ｂおよびシリンダー部６の内面６ａと密接した状態となるが、ゴムリング１９の内側で、切り欠き部４７は上側のフランジ９ａとシリンダー部６の内面６ａとの間のスペースと連通しているので、上方から進入した空気が、ゴムリング１９下方で、ゴムリング１９とシリンダー部６とによって形成された空間に流入できる。
【００２８】
そこから、ピストン部材７をスライドさせて下方に移動させると、ゴムリング１９が上方に移動して、上側のフランジ９ａおよびシリンダー部６の内面６ａと密接した状態となる。このとき、切り欠き部４７は、ゴムリング１９内側で、上側のフランジ９ａとシリンダー部６の内面６ａとの間のスペースとは連通しておらず、ゴムリング１９によってその上方と下方との間の空気の流れが遮断されるので、上述した、ゴムリング１９下方で、ゴムリング１９とシリンダー部６とによって形成された空間に流入した空気が、密封及び押圧されることによって高い圧力を有し、その圧力で弁３０を下方に押圧しつつ、連通孔１６を通って装着部１０側へ送られる。
【００２９】
図１に示すように、本体部５において、以上のように動作するポンプ部を構成するシリンダー部６とピストン部材７との下方には、隔壁１３を挟んでタンク２０が装着される装着部１０が設けられており、当該装着部１０を介して、水等の洗浄液を貯留したタンク２０が本体部５に装着されることになる。装着部１０の図中上端部から本体部５を連通して、後述するホース２８を構成する第２のホース２６が固設されている。この第２のホース２６には、タンク２０側から延出した第１のホース２５と、図示外の局部側に延びる第３のホース２７とが連結されることになる。
【００３０】
図６に示すタンク２０は、図１に示す装着部１０の内周面１０ａに形成された雌ねじ形状に螺合する雄ネジ形状をその外周面６０ａに有した略円筒形状の装着部６０と、当該装着部６０の図中下端部から延設され、装着部６０よりも大きな径を持ち、中空の略円柱形状である貯留部６１とから構成されている。貯留部６１は、本体部５（図２参照）の径よりも大きな径と、本体部５の長さよりも大きな高さとをもって形成されている。さらに、タンク２０は、装着部６０を備えた上側部材２０ａと、上側部材２０ａから下側に連続した下側部材２０ｂとに分割可能となっている。上下側部材２０ａ，２０ｂは、貯留部６１上部の所定の位置で分割されており、上側部材２０ａの下側縁内周面２０ａ１に形成された雌ねじ部と、下側部材２０ｂの上側縁外周面２０ｂ１に形成された雄ねじ部とを螺合させることによって連結できる。タンク２０は、本体部５とは上述したような寸法関係となっているので、タンク２０を上側部材２０ａと下側部材２０ｂとに分割すると、貯留部６１内に本体部５を格納できるようになっている。また、それだけの容積があることにより、局部を洗浄するために十分な量の洗浄液を貯留することができる。
【００３１】
また、図１に示すように、タンク２０からは、タンク２０内の洗浄液を通過させるためのビニール等の合成樹脂製の第１のホース２５が延出している。この第１のホース２５と、本体部５に備えられた第２のホース２６と、洗浄箇所に向けて洗浄液が発射されるノズル７０を備えた第３のホース２７とからホース２８が構成されており、各々が、嵌合又は螺合等によって着脱可能となっている。各ホースの連結形態については、特に限定されるものではないが、本実施の形態での詳細な説明は省略する。また、第３のホース２７には、ストッパー７１が設けられており、ストッパー７１によって、第３のホース２７内の洗浄液の流れを規制でき、また洗浄液の流量を調整できるようになっている。
【００３２】
図７及び図８に示すように、ストッパー７１は、上面が開放された中空の略直方体形状の基部７２と、基部７２に対して相対移動可能に設けられた軸付きローラ７７とから構成されている。詳細には、基部７２は、第３のホース２７の長さ方向に長手を持つ略長方形の左右一対の側壁７４，７４と、左右側壁７４，７４の下側長辺間に渡設された下側壁７３と、側壁７４，７４の短辺間に渡設された一対のガイド壁７５，７５とから構成されている。ガイド壁７５，７５には、それぞれガイド孔７５ａが穿設されており、一対となったガイド孔７５ａ，７５ａに第３のホース２７が挿入されることになる。また、右側壁７４は、その内側面７４ａに、図中手前方向から奥行き方向に向かって上方から下方に傾斜して形成された所定深さの案内溝７６を備えている。図示しないが、左側壁７４の内側面にも右側壁７４内面７４ａに形成された案内溝７６と略同一形状の案内溝が、対向して一対となって形成されている。
【００３３】
軸付きローラ７７は、所定厚を有した略円盤状のローラ７７ａと、ローラ７７ａの軸心部を貫通して固設された軸部７７ｂとから構成されている。軸付きローラ７７は、その軸部７７ｂが右側壁７４の内面７４ａに形成された案内溝７６及び左側壁７４の内面に形成された案内溝（図示外）に嵌合し、ローラ７７ａが左右側壁７４，７４に挟まれた状態で、左右一対の案内溝７６の両端部間を移動可能となるように基部７３に組み付けられる。基部７３に設けられた一対のガイド孔７５ａ，７５ａに挿入された第３のホース２７は、自重によって図示外の下側壁に接した状態となっている。
【００３４】
ローラ７７ａを、軸部７７ｂを介して案内溝７６の両端部間で移動させ、案内溝７６の図中手前側の端部近傍まで軸付きローラ７７を移動させると、軸付きローラ７７と第３のホース２７との間に間隙が生じた状態となるので、第３のホース２７内を洗浄液が円滑に流れることになる。逆に、案内溝７６の図中奥行き側の端部近傍まで軸付きローラ７７を移動させると、軸付きローラ７７と図示外の下側壁とによって第３のホース２７が挟まれて潰れた状態となるので、第３のホース２７内の洗浄液の流れが止められることになる。このように構成されたストッパー７１によって、第３のホース２７内の洗浄液の流れを規制できるようになっている。
【００３５】
次に、以上のように構成された携帯用局部洗浄装置１の使用について説明する。図１に示すように、携帯用局部洗浄装置１は、本体部５に水等の洗浄液Ｌが貯留されたタンク２０を装着し、本体部５に固設された第２のホース２６に、一端が洗浄液Ｌ内に位置し、タンク２０側から延びた第１のホース２５と、図示外の人体局部側に延びた第３のホース２７とを連結することによって使用可能となる。使用者は、まず、ピストン部材７下端部の弁押圧部１７に形成された切り欠き部４０とシリンダー部６内の凸部５６とが対向していない、ピストン部材７が弁３０と接し得ない状態であることを確認した後、本体部５のシリンダー部６内でピストン部材７を上下に往復移動（スライド）させる。ここで、図３に示す「出」の目印が、例えばホース２８の延出方向に向いている時が、ピストン部材７が弁３０と接し得ない状態であるというように、外部から一目して本体部５内のピストン部材７とシリンダー部６との状態が分かるようにしておくとよい。尚、目印「出」と「止」は、この文字に限られず、「ＯＰＥＮ」と「ＳＴＯＰ」や図又は記号等で示しても良い。
【００３６】
上述したように、本体部５では、シリンダー部６とピストン部材７とでポンプが構成され、ピストン部材７を何度もスライドさせることによって、外部からシリンダー部６方向に向かって一方通行で空気が流入する。ゴムリング１９とシリンダー部６との間に流入して密封された空気は、高い圧力を有し、その圧力で弁３０を下方に押圧しつつタンク２０内に流入する。高圧の空気は、タンク２０内に貯留された洗浄液Ｌの水面にかかり、その圧力によって、洗浄液Ｌが第１のホース２５、第２のホース２６及び第３のホース２７とを介して、第３のホース２７に設けられたノズル７０から外部へ放出されることになる。携帯用局部洗浄装置１の使用者は、ノズル７０に設けられた噴射口（図示外）を所定の局部に向けることによって、当該局部を洗浄することになる。
【００３７】
ここで、第３のホース２７には、ストッパー７１が設けられているので、洗浄液Ｌが自動的に噴射され続けることはなく、使用者の意志によって噴射を自在に規制することができる。また、それと共に、使用中にピストン部材７をスライドさせ続けなくても、タンク２０内の洗浄液Ｌ面に圧力がかかっている限り、洗浄液Ｌは噴射され続ける。
【００３８】
また、タンク２０内に貯留された洗浄液Ｌにかけられた圧力を外部へ開放する場合は、ピストン部材７の弁押圧部１７と弁３０とが当接し得ない状態から、ピストン部材７を半回転（１８０°）だけ回転させて、その下端部の弁押圧部１７と弁３０とが当接可能な状態とする。そして、ピストン部材７をスライドさせて下方に移動させれば、弁３０は、上方からの空気圧がかかっていない状態で、弁押圧部１７によって下方に移動させられるので、連通孔１６と窪み部５５及び切り欠き部４７を介してタンク２０側に送られた空気をシリンダー部６側に戻すことができる。そして、空気を外部へ放出することができる。
【００３９】
以上説明したように、本実施の形態の携帯用局部洗浄装置１では、本体部５のシリンダー部６に設けられたピストン部材７の下端部に、シリンダー部６とタンク２０に連続した装着部１０との間に設けられた弁３０を押圧する弁押圧部１７が形成されているので、タンク２０内に送られて、洗浄液Ｌの液面を押圧する空気を外部へ放出したいときには、弁押圧部１７で弁３０を下方に押圧して、連通孔１６を介して高圧の空気を外部へ放出することができる。通常状態では、弁押圧部１７と弁３０とが当接可能な状態ではないので、シリンダー部６内でピストン部材７をスライドさせることによって発生した高圧の空気が、自身で弁３０を下方に押圧しつつタンク２０内へ流入し、洗浄液Ｌの液面を下方に押圧することになる。
【００４０】
従って、第３のホース２７の局部側端部に設けられたノズル７０から局部に向かって、局部を洗浄するのに十分な勢いを持った洗浄液が噴射されて局部が洗浄されることになる。ピストン部材７を複数回スライドさせることにより、タンク２０内には高圧の空気が流入し、その圧力によって洗浄液Ｌが押圧されてホース２８を通ってノズル７０から噴射されることになるが、ホース２８を構成する第３のホース２７にはストッパー７１が設けられており、第３のホース２７を通る洗浄液Ｌの流動を規制できるようになっている。これにより、使用者は、ストッパー７１を操作するだけで洗浄液Ｌの噴射を抑制することができる。加えて、タンク２０を構成する貯留部６１は、本体部５の長さよりも大きい高さを持つ中空の略円柱形状であり、ホース２８は、第１乃至第３のホース２５，２６，２７に分割可能であるので、タンク２０内に本体部５並びに分割したホース２８を収納することができ、携帯用局部洗浄装置１全体として小型化できるので、持ち運びにも好適な形態にできる。
【００４１】
尚、本発明は前記実施の形態に限定されるものではなく、各種の変形が可能である。例えば、本実施の形態では、円筒状のピストン部材７に空気密閉用のゴムリング１９を設けてポンプを形成したが、タンク２０内の洗浄液Ｌ液面を押圧する高圧の空気を発生させて密閉する方法はこの方法に限られたものではない。
【００４２】
【発明の効果】
以上、詳述したとおり、請求項１に記載の携帯用局部洗浄装置では、本体部において、装着部が設けられた一端とは反対側に位置する他端から前記一端側に向かって形成されたシリンダー部内で、ピストン部材を繰り返し往復させることによって、シリンダー部内に高圧の空気が貯められ、その圧力がシリンダー部と装着部との間に設けられた連通孔を通ってタンク内に貯留された洗浄液の液面にかかることになる。このとき、弁の働きにより前記装着部側から前記シリンダー部側への空気の流れが防止できる。そして、その端面に高い圧力を受けた洗浄液は、圧力がかかった側とは反対側の端部即ちホースが連結された側に向かって押圧されるので、ホースの局部側端部から局部に向かって局部を洗浄するのに十分な勢いを持った洗浄液が噴射されて局部が洗浄されることになる。
【００４３】
また、請求項２に記載の携帯用局部洗浄装置では、請求項１に記載の発明の効果に加え、ピストン部材は、弁側端部に固設された第１のフランジと、第１のフランジから弁側とは反対方向に所定距離だけ離れた位置に固設された第２のフランジと、第１のフランジと第２のフランジとの間で、ピストン部材の外周面とシリンダー部とに密接した状態で本体部の長尺方向に摺動可能なリングとを備え、第１及び第２のフランジ間におけるピストン部材の外周面には、第１のフランジから第２のフランジ近傍まで所定深さで切り欠かれた切り欠き部が形成されている。従って、ピストン部材を弁方向にスライドさせると、慣性によってリングが弁とは反対方向に摺動し、ピストン部材を弁とは反対方向にスライドさせると、慣性によってリングが弁方向に摺動することになり、ピストン部材を弁とは反対方向にスライドさせることによって現出する切り欠き部を通過して空気がシリンダー部に入りこむことができ、ピストン部材を弁方向にスライドさせることによって、第２のフランジ近傍まで延びた切り欠き部が塞がれることになる。即ち、シリンダー部とピストン部材とでポンプが形成され、このポンプによって高圧の空気を効率よくタンク内に流入することができる。
【００４４】
また、請求項３に記載の携帯用局部洗浄装置では、請求項１又は２に記載の発明の効果に加え、シリンダー部の前記隔壁側端部において、その周方向略半分の範囲には、シリンダー部の内側面からシリンダー部の軸心方向へ向かって所定の突出量をもって凸部が突設されており、ピストン部材の隔壁側端部において、その周方向略半分の範囲には、ピストン部材の外周面からピストン部材の軸心方向へ向かって、凸部の突出量と略同一の切り欠き量をもって切り欠き部が形成されている。シリンダー部内に空気を送り込むためにピストン部材を繰り返しスライドさせる際は、ピストン部材の切り欠き部とシリンダー部内の凸部とが対向していない状態として、付勢部材によって閉じる方向に付勢された弁が、空気の圧力によって下方に移動することにより、空気の流れをシリンダー部側からタンク側への一方通行とすることができる。
【００４５】
また、請求項４に記載の携帯用局部洗浄装置では、請求項１乃至３の何れかに記載の発明の効果に加え、シリンダー部の前記隔壁側端部において、凸部に対向する位置の内側面には、シリンダー部の隔壁側端部から付勢部材の付勢方向に向かって、所定の窪み量と所定の長さとをもった窪み部が形成されている。タンク内に貯留された洗浄液の液面にかかった圧力を解放したいときには、ピストン部材を回転させて、その切り欠き部がシリンダー部内の凸部と対向した状態とし、ピストン部材をスライドさせて弁に当接させて弁を下方に押圧すれば、空気はタンク側からシリンダー部側へ流れることができ、窪み部とピストン部材の外周面に形成された切り欠き部とを介して洗浄液の液面にかかった圧力をシリンダー部を通して外部へ放出することができる。
【００４６】
また、請求項５に記載の携帯用局部洗浄装置では、請求項１乃至４の何れかに記載の発明の効果に加え、ホースは、洗浄液の流れを規制するストッパーを備えているので、使用者は、洗浄を行うときにのみ洗浄水を噴射させることができ、装置の効率のよい稼動を実現できる。
【００４７】
また、請求項６に記載の携帯用局部洗浄装置では、請求項１乃至５の何れかに記載の発明の効果に加え、タンクは、本体部とホースとを格納可能であるので、使用者は、装置をコンパクトな状態として持ち運ぶことができる。
【図面の簡単な説明】
【図１】図１は、携帯用局部洗浄装置１の全体構成を示す縦断面図である。
【図２】図２は、本体部５を示す縦断面図である。
【図３】図３は、把持部３７の平面図である。
【図４】図４は、シリンダー部６に設けられたピストン部材７と弁３０とを示す拡大断面図である。
【図５】図５は、シリンダー部６に設けられたピストン部材７と弁３０とを示す拡大断面図である。
【図６】図６は、タンク２０を示す断面図である。
【図７】図７は、ストッパー７１を示す斜視図である。
【図８】図８は、ストッパー７１を示す分解斜視図である。
【符号の説明】
１　　携帯用局部洗浄装置
５　　本体部
６　　シリンダー部
７　　ピストン部材
９ａ，９ｂ　　フランジ
１０　　装着部
１６　　連通孔
１７　　弁押圧部
１９　　ゴムリング
２０　　タンク
２８　　ホース
３０　　弁
３５　　バネ
４０　　切り欠き部
４７　　切り欠き部
５５　　窪み部
５６　　凸部
７１　　ストッパー
Ｌ　　洗浄液
【図１】
2004024357.tif 000003
【図２】
2004024357.tif 000004
【図３】
2004024357.tif 000005
【図４】
2004024357.tif 000006
【図５】
2004024357.tif 000007
【図６】
2004024357.tif 000008
【図７】
2004024357.tif 000009
【図８】
2004024357.tif 000010